(57)【要約】【課題】バウンドの発生を防止したクイックリターンミラー等を提供する。【解決手段】カメラの撮影用光学系から出た像光を反射して他の光学系に導く待機位置と、撮影用光学系とカメラの撮像部との間の光路から退避した露光位置との間を移動するクイックリターンミラー２０を、鏡面が形成されたミラー部２１と、ミラー部２１の背面側に設けられ、このミラー部２１を支持するミラーホルダ部２２と、ミラー部２１の材料及びミラーホルダ部２２の材料よりも高い振動減衰能を有する振動減衰材料によって形成され、ミラー部２１の鏡面に対して略平行に延在し、ミラー部２１、ミラーホルダ部２２の少なくとも一方に固定された振動減衰層２３とを備える構成とする。【選択図】図３
2006189539.tif 000002
【特許請求の範囲】
【請求項１】
カメラの撮影用光学系から出た像光を反射して他の光学系に導く待機位置と、前記撮影用光学系と前記カメラの撮像部との間の光路から退避した露光位置との間を移動するクイックリターンミラーにおいて、
鏡面が形成されたミラー部と、
前記ミラー部の背面側に設けられ、このミラー部を支持するミラーホルダ部と、
前記ミラー部の材料及び前記ミラーホルダ部の材料よりも高い振動減衰能を有する振動減衰材料によって形成され、前記ミラー部の前記鏡面に対して略平行に延在し、前記ミラー部、前記ミラーホルダ部の少なくとも一方に固定された振動減衰層と
を備えたクイックリターンミラー。
【請求項２】
請求項１に記載のクイックリターンミラーにおいて、
前記振動減衰層は、前記ミラーホルダ部と前記ミラー部との間に配置されること
を特徴とするクイックリターンミラー。
【請求項３】
請求項１に記載のクイックリターンミラーにおいて、
前記振動減衰層は、前記ミラーホルダ部の前記ミラー部と反対側の面部に沿って配置されること
を特徴とするクイックリターンミラー。
【請求項４】
請求項１に記載のクイックリターンミラーにおいて、
前記振動減衰層は、前記ミラーホルダ部の前記ミラー部が固定される面部に沿って、このミラー部の周辺部に配置されること
を特徴とするクイックリターンミラー。
【請求項５】
請求項１から請求項４までのいずれか１項に記載のクイックリターンミラーにおいて、
前記振動減衰層は、前記振動減衰材料を有するシートを含み、前記ミラー部、前記ミラーホルダ部の少なくとも一方に接着されること
を特徴とするクイックリターンミラー。
【請求項６】
請求項５に記載のクイックリターンミラーにおいて、
前記振動減衰層は、前記ミラー部、前記ミラーホルダ部の少なくとも一方にその略全面にわたって接着されること
を特徴とするクイックリターンミラー。
【請求項７】
撮影用光学系と、
前記撮影用光学系によって被写体像が結像される撮像面と、
前記撮影用光学系と前記撮像面との間に設けられた少なくとも１つのクイックリターンミラーを含むクイックリターンミラー群とを備えるカメラにおいて、
前記クイックリターンミラー群の少なくとも一部に、請求項１から請求項６までのいずれか１項に記載のクイックリターンミラーを備えること
を特徴とするカメラ。
【発明の詳細な説明】
【技術分野】
【０００１】
本発明は、撮像光学系からの像光を反射してファインダ光学系等に導くとともに、露光時に光路上から退避するクイックリターンミラー、及び、このようなクイックリターンミラーを備えたカメラに関するものである。
【背景技術】
【０００２】
一眼レフ方式のカメラは、露光開始の直前に撮影用レンズ群と撮像部との間から退避（ミラーアップ）し、露光終了後にもとの位置に復帰するいわゆるクイックリターンミラーを備えている。
【０００３】
このクイックリターンミラーの停止時に生ずる衝撃を、他の部材に伝播させるミラーバランサを設けることによって、ミラーのバウンドを防止し、ミラーを早期に停止させることが知られている（例えば、特許文献１）。
【０００４】
しかし、他の部材に衝撃を伝播させる場合は、構造が複雑となり、また、個々のクイックリターンミラー毎にそれぞれ所望の性能を得るための設計を行うことは煩雑である。
【特許文献１】特許第３５３６１３１号
【発明の開示】
【発明が解決しようとする課題】
【０００５】
本発明の課題は、バウンドの発生を防止したクイックリターンミラー、及び、このようなクイックリターンミラーを備えたカメラを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
【０００７】
請求項１の発明は、カメラの撮影用光学系から出た像光を反射して他の光学系に導く待機位置と、前記撮影用光学系と前記カメラの撮像部との間の光路から退避した露光位置との間を移動するクイックリターンミラー（２０，３０）において、鏡面が形成されたミラー部（２１，３１）と、前記ミラー部（２１，３１）の背面側に設けられ、このミラー部（２１，３１）を支持するミラーホルダ部（２２，３２）と、前記ミラー部（２１，３１）の材料及び前記ミラーホルダ部（２２，３２）の材料よりも高い振動減衰能を有する振動減衰材料によって形成され、前記ミラー部（２１，３１）の前記鏡面に対して略平行に延在し、前記ミラー部（２１，３１）、前記ミラーホルダ部（２２，３２）の少なくとも一方に固定された振動減衰層（２３，３３）とを備えたクイックリターンミラー（２０，３０）である。
【０００８】
請求項２の発明は、請求項１に記載のクイックリターンミラー（２０）において、前記振動減衰層（２３）は、前記ミラーホルダ部（２２）と前記ミラー部（２１）との間に配置されることを特徴とするクイックリターンミラー（２０）である。
請求項３の発明は、請求項１に記載のクイックリターンミラーにおいて、前記振動減衰層は、前記ミラーホルダ部の前記ミラー部と反対側の面部に沿って配置されることを特徴とするクイックリターンミラーである。
請求項４の発明は、請求項１に記載のクイックリターンミラー（３０）において、前記振動減衰層（３３）は、前記ミラーホルダ部（３２）の前記ミラー部（３１）が固定される面部（３２ａ）に沿って、このミラー部（３１）の周辺部に配置されることを特徴とするクイックリターンミラー（３０）である。
請求項５の発明は、請求項１から請求項４までのいずれか１項に記載のクイックリターンミラー（２０）において、前記振動減衰層（２３）は、前記振動減衰材料を有するシートを含み、前記ミラー部（２１）、前記ミラーホルダ部（２２）の少なくとも一方に接着されることを特徴とするクイックリターンミラー（２０）である。
請求項６の発明は、請求項５に記載のクイックリターンミラー（２０）において、前記振動減衰層（２３）は、前記ミラー部（２１）、前記ミラーホルダ部（２２）の少なくとも一方にその略全面にわたって接着されることを特徴とするクイックリターンミラー（２０）である。
【０００９】
請求項７の発明は、撮像光学系と、前記撮像光学系によって被写体像が結像される撮像面と、前記撮影用光学系と前記撮像面との間に設けられた少なくとも１つのクイックリターンミラーを含むクイックリターンミラー群とを備えるカメラにおいて、前記クイックリターンミラー群の少なくとも一部に、請求項１から請求項６までのいずれか１項に記載のクイックリターンミラー（２０，３０）を備えることを特徴とするカメラである。
なお、本明細書において、「クイックリターンミラー群」とは、例えば、連動して駆動されるメインミラーとサブミラーのような複数のクイックリターンミラーを総括して称するほか、１つのクイックリターンミラーのみのものも含む。
【発明の効果】
【００１０】
本発明によれば、クイックリターンミラーの移動終了時にバウンドが生じた場合に、その振動エネルギーを振動減衰層が吸収することによって、早期に振動を減衰し、クイックリターンミラーのバウンド現象を静止させることができる。また、構造が簡単でありかつ耐久性に優れる効果がある。
【発明を実施するための最良の形態】
【００１１】
本発明は、クイックリターンミラーのバウンドを防止するという課題を、メインミラーとメインミラーホルダの間に配置され、メインミラーホルダに対してその対向する面間の略全面にわたって接着された振動吸収シートを備えるクイックリターンミラーによって解決する。
【実施例１】
【００１２】
以下、図面等を参照して、本発明の実施例をあげて、さらに詳しく説明する。
図１は、本発明を適用したクイックリターンミラーの実施例１を備えたミラーボックスの外観斜視図である。図２は、このミラーボックスが備えるクイックリターンミラーであるメインミラーとサブミラーとを示す斜視断面図である。
ミラーボックス１０は、例えばデジタル一眼レフカメラの図示しない撮像面に配置された撮像素子と、撮影用レンズ鏡筒装着用のマウント部との間に設けられるものであって、図１は、撮像素子側から見た状態を示している。このミラーボックス１０は、メインミラー部２０と、サブミラー部３０と、メインミラーストッパ４０と、サブミラーストッパ５０とを備えている。
【００１３】
メインミラー部２０は、撮影用レンズ鏡筒から出た像光を、カメラの通常撮影時における上方に反射し、図示しないファインダスクリーン、ペンタプリズム等を有するファインダ光学系に入光させる待機位置と、撮影用レンズ鏡筒と撮像素子との間の光路上から退避した露光位置との間を移動するものである。
図１及び図２は、ともにメインミラー部２０が待機位置にある状態を示しており、このとき、メインミラー部２０は、マウント部側が下がった状態で、光軸に対して例えば約４５°程度傾斜した状態となっている。
そして、露光開始に先立ち、メインミラー部２０は、その撮像素子側に設けられた回転軸回りに、そのマウント部側の端部が上方に移動するように回転し、その停止位置である露光位置においては、メインミラー部２０は、光軸と略平行な状態まで移動する。
【００１４】
図３は、メインミラー部２０の要部断面図である。
メインミラー部２０は、メインミラー２１と、メインミラーホルダ２２と、振動吸収シート２３と、接着剤層２４とを備えている。
【００１５】
メインミラー２１は、ガラス平板の一面に金属薄膜を形成し、その表面に入光する光の一部を反射し、他部を透過させるハーフミラーとしたものである。
メインミラーホルダ２２は、メインミラー２１を、上述した待機位置と露光位置との間で移動可能に支持するものであって、待機位置におけるメインミラー２１の撮像素子側の面部（背面部）に沿って配置されたトレイ状の部材である。このメインミラーホルダ２２は、例えば、金属又はエンジニアリングプラスチック等によって形成されている。
メインミラーホルダ２２は、メインミラー２１の中央部に対向する領域に、矩形の開口２２ａが設けられ、少なくとも一部がハーフミラーであるメインミラー２１によって反射されず、透過した光の一部は、この開口２２ａを通ってサブミラー部３０に入光する。
また、メインミラーホルダ２２は、そのメインミラー２１と対向する側の面部に、この面部から突き出して形成された位置決め用のボス２２ｂを備えている。このボス２２ｂは、上述した面部に分散して複数個設けられ、その突端部に形成された面部がそれぞれメインミラー２１と当接することによって、メインミラー２１は、メインミラーホルダ２２に仮に微小な歪みが生じた場合であっても、その平面性を確保しつつ支持される。
【００１６】
振動吸収シート２３は、メインミラー２１とメインミラーホルダ２２とが対向する面間に配置されている。この振動吸収シート２３は、メインミラー２１及びメインミラーホルダ２２の材料よりも振動減衰能が高い材料を用いて形成されている。このような材料として、例えば、液晶ポリマー、ポリアミド系又はポリエステル系等のエラストマー、ブチルゴム又はシリコン等のゴム系材料などを用いることができる。
振動吸収シート２３は、外形がメインミラー２１と略同じ矩形状に形成され、その中央部に、メインミラーホルダ２２の開口２２ａに対向して設けられ、これと略同じ外形を有する矩形の開口２３ａが形成されている。
【００１７】
また、振動吸収シート２３は、メインミラーホルダ２２のボス２２ｂがそれぞれ挿入される複数の開口２３ｂと、この複数の開口２３ｂにそれぞれ隣接して設けられた複数の開口２３ｃが形成されている。
開口２３ｃが設けられた箇所は、接着剤塗布位置となっており、メインミラー２１と、メインミラーホルダ２２とは、この開口２３ｃを通って両者間に介在する接着剤によって接着され、固定されている。
【００１８】
接着剤層２４は、メインミラーホルダ２２と振動吸収シート２３とを接着するものであって、これらが相互に対向する面間の略全面にわたって分布して設けられている。
【００１９】
サブミラー部３０は、メインミラー部２０が透過した光線を、カメラの通常撮影時における下方に反射し、図示しないＡＦ測距部、測光素子等に入射させる待機位置と、撮影用レンズ鏡筒と撮像素子との間の光路上から退避した露光位置との間を移動するものである。
サブミラー部３０は、メインミラー部２０の撮像素子側に配置され、待機状態においては、像側が下がった状態で、光軸に対して例えば約４５°程度傾斜した状態となっている。
そして、露光開始に先立ち、サブミラー部３０は、そのサブミラーホルダ３２側に設けられた回転軸回りに回転し、メインミラー部２０に沿いかつ光軸と略平行な状態まで移動する。
【００２０】
図４は、サブミラー部３０の要部断面図である。
サブミラー部３０は、サブミラー３１と、サブミラーホルダ３２と、振動吸収シート３３と、接着剤層３４とを備えている。
【００２１】
サブミラー３１は、ガラス平板の一面に金属薄膜を形成し、その表面に入射する光の略全部を反射させるミラーとしたものである。
サブミラーホルダ３２は、サブミラー３１を、上述した待機位置と露光位置との間で移動可能に支持するものであって、待機位置におけるサブミラー３１の撮像素子側の面部に沿って配置されたトレイ状のミラー固定部３２ａと、このミラー固定部３２ａの外周縁部から突き出して形成され、その先端部に回転軸が挿入される開口が形成されたアーム部３２ｂとを備えている。このサブミラーホルダ３２は、例えば、金属又はエンジニアリングプラスチック等によって形成されている。
サブミラーホルダ３２のミラー固定部３２ａは、サブミラー３１の外形よりも、その縦方向、横方向ともに大きく形成され、サブミラー３１は、その略中央部に接着される。
【００２２】
振動吸収シート３３は、上述した振動吸収シート２３と同様の材料によって形成され、その外形は、サブミラーホルダ３２のミラー固定部３２ａと略同じとなっている。また、振動吸収シート３３の中央部には、サブミラー３１の外周縁部に沿った形状の開口３３ａが形成されている。
振動吸収シート３３は、その開口３３ａ内にサブミラー３１が収容された状態で、サブミラーホルダ３２のサブミラー３１の周囲の部分に配置されている。
【００２３】
接着剤層３４は、サブミラーホルダ３２と振動吸収シート３３とを接着するものであって、これらが相互に対向する面間の略全面にわたって分布して設けられている。
この接着剤層３４によって振動吸収シート３３は、サブミラーホルダ３２に対して、サブミラー３１が接着されている面と同一面上に接着されている。
【００２４】
メインミラーストッパ４０は、図１に示すように、ミラーボックス１０の側面部から、その内側に突き出して設けられた円柱状の部材であって、メインミラー部２０が露光位置から待機位置に移動したときに、その移動行程の終端部において、メインミラーホルダ２２のマウント側の端部が接触するものである。
【００２５】
また、サブミラーストッパ５０は、ミラーボックス１０の側面部から、その内側に突き出して設けられた円柱状の部材であって、サブミラー部３０が露光位置から待機位置に移動したときに、その移動行程の終端部において、サブミラーホルダ３２のサブミラー３１とは反対側の面部が接触するものである。
【００２６】
以上のように、実施例１によれば、メインミラー部２０及びサブミラー部３０にそれぞれ振動吸収シート２３，３３を備えているから、これらが待機位置と露光位置との間を移動した後に、ストッパ等に衝突してバウンドが生じても、その振動エネルギーを振動吸収シートが吸収して早期に減衰し、短期間に次の動作を行うことが可能となって、カメラの動作を迅速化することができる。
また、ミラーバランサを用いたり、電磁石等によってミラーを停止させる従来技術と比較して、構造が簡単であり、かつ、耐久性に優れる効果がある。
さらに、振動吸収シート２３，３３は、メインミラーホルダ２２及びサブミラーホルダ３２に対してそれぞれその略全面にわたって接着される構成としたから、振動減衰効果をより向上することができる。
【実施例２】
【００２７】
次に、本発明を適用したクイックリターンミラーの実施例２を備えたミラーボックスについて説明する。なお、上述した実施例１と同様の部分については、同じ符号を付して説明を省略し、主に相違点について説明する。
【００２８】
図５は、実施例２におけるメインミラー部の要部断面図である。
実施例２のメインミラー部２０は、接着剤層２４を、振動吸収シート２３とメインミラー２１との間に設けて、これらを接着固定した構成となっている。
振動吸収シート２３とメインミラー２１とは、その相互に対向する面の略全面にわたって、接着剤層２４によって接着されている。
【００２９】
図６は、実施例２におけるサブミラー部の要部断面図である。
実施例２のサブミラー部３０は、振動吸収シート３３に開口を形成せずに、サブミラー３１及びサブミラーホルダ３２のミラー固定部３２ａを、振動吸収シート３３を挟んで層状に配置したものである。サブミラー３１と振動吸収シート３３との接着部、及び、振動吸収シート３３とミラー固定部３２ａとの接着部においては、これらが相互に対向する面の略全面にわたって接着されている。
以上説明した実施例２においても、上述した実施例１の効果と同様の効果を奏することができる。
【００３０】
（変形例）
本発明は、以上説明した各実施例に限定されることなく、種々の変形や変更が可能であって、それらも本発明の均等の範囲内である。
（１）上述した各実施例では、振動減衰能のよい材料によって形成したシートを、ミラー又はミラーホルダに添付して振動減衰層としているが、これに限らず、例えば、シリコン系、エポキシ系等の樹脂や、このような樹脂類と含有する接着剤等を、ミラー、ミラーホルダの少なくとも一方に塗布し、硬化させることによって振動減衰層を形成してもよい。
（２）上述した各実施例は、メインミラーとサブミラーのそれぞれに振動減衰層を備えているが、ミラーボックスに含まれる複数のクイックリターンミラーのうち、一部のクイックリターンミラーにのみ振動減衰層を設けてもよい。
（３）振動減衰層が配置される部分は、上述した各実施例の構成に限らず、例えば、ミラーホルダ部のミラー部とは反対側の面部に沿って配置するようにしてもよい。
（４）上述した各実施例において、カメラはデジタル一眼レフカメラであるが、これに限らず、フィルムカメラであってもよい。また、各クイックリターンミラーの駆動方向も実施例のものに限らず、例えば、カメラの通常撮影時において鉛直方向に延在する軸回りに回転するような構成であってもよい。
（５）振動減衰層は、単に振動の減衰を目的としたものに限らず、例えば、迷光防止のための部材を兼用する構成としてもよい。
【図面の簡単な説明】
【００３１】
【図１】本発明を適用したクイックリターンミラーの実施例１を備えるミラーボックスの外観斜視図である。
【図２】図１のミラーボックスのメインミラー部及びサブミラー部の斜視断面図である。
【図３】図１のミラーボックスのメインミラー部の要部断面図である。
【図４】図１のミラーボックスのサブミラー部の要部断面図である。
【図５】本発明を適用したクイックリターンミラーの実施例２を備えたミラーボックスにおけるメインミラー部の要部断面図である。
【図６】本発明を適用したクイックリターンミラーの実施例２を備えたミラーボックスにおけるサブミラー部の要部断面図である。
【符号の説明】
【００３２】
２１    メインミラー
２２    メインミラーホルダ
２３    振動吸収シート
２４    接着剤層
３１    サブミラー
３２    サブミラーホルダ
３３    振動吸収シート
３４    接着剤層
【図１】
2006189539.tif 000003
【図２】
2006189539.tif 000004
【図３】
2006189539.tif 000005
【図４】
2006189539.tif 000006
【図５】
2006189539.tif 000007
【図６】
2006189539.tif 000008